(57)【特許請求の範囲】
【請求項１】
給水手段と、この給水手段から給水される給水圧より高い圧力を最小値とする周期的な変動圧力吐出を行う加圧手段と、この加圧手段により加圧されて供給された給水を洗浄水として吐出する吐出手段とを備えた衛生洗浄装置。
【請求項２】
給水手段と、複数の圧力吐出の合成によりこの給水手段から給水される給水圧より高い圧力を最小値とする周期的な変動圧力吐出を行う加圧手段と、この加圧手段により加圧されて供給された給水を洗浄水として吐出する吐出手段とを備えた衛生洗浄装置。
【請求項３】
加圧手段は、ポンプ室を複数有する往復動ポンプであって、それぞれのポンプ室のピストン動作の位相をずらした請求項１または請求項２記載の衛生洗浄装置。
【請求項４】
往復動ポンプを、ピストンの両側にポンプ室を有する複動型とした請求項３記載の衛生洗浄装置。
【請求項５】
給水手段は、圧力調整部を有する請求項１から請求項４のいずれか１項記載の衛生洗浄装置。
【請求項６】
加圧手段の圧力変動周期を、人体が認知可能な圧力変動周期とする請求項１、請求項２、請求項３、請求項４または請求項５記載の衛生洗浄装置。
【請求項７】
洗浄水の加熱手段を給水手段と加圧手段の間に設けた請求項１、請求項２、請求項３、請求項４、請求項５または請求項６記載の衛生洗浄装置。
【請求項８】
洗浄水の温度を検知する温度検知手段を備え、前記温度検知手段が所定の温度を検知した後、加圧手段は稼働する請求項１から請求項７のいずれか１項記載の衛生洗浄装置。
【請求項９】
圧力調整部は、加圧手段の稼働時、給水手段と加圧手段の間の圧力を0以下とした請求項５、請求項６、請求項７または請求項８記載の衛生洗浄装置。
【発明の詳細な説明】
【０００１】
【発明の属する技術分野】
この発明は、例えばシャワーや衛生洗浄便座等に適用される衛生洗浄装置に関するものである。
【０００２】
【従来の技術】
従来の衛生洗浄装置は、例えば特開平07−189317号公報に記載されているようなものが一般的であった。この装置は図１１に示すように、洗浄水の圧送手段として外歯歯車ポンプを採用し、一対のギア１０１、１０２のかみ合いと各々のギアとハウジング１０３の隙間によって洗浄水を加圧送出する。なおギア１０２は、図示されていないがモータの出力軸に固設され回動し、ギア１０１はギア１０２の従属歯車として回動する構成となっている。そして圧送された洗浄水は温水タンク１０４内に常時保温貯留された温水を押出し、洗浄ノズル１０５からその押し出された温水が噴出するようになっていた。
【０００３】
【発明が解決しようとする課題】
しかしながら、この手の衛生洗浄装置は、通常１〜１．５Ｌ程度の温水タンクを備えた、いわゆる貯湯式の加熱手段を用いているため、装置の小型化が困難であり、また非使用時も常に温水を適温に保温貯留しておかねばならないため、放熱によるエネルギーロスが大きく、ランニングコストがかかる。
【０００４】
これに対し、使用時のみ洗浄水を適温に沸かし上げる瞬間式の熱交換器を利用することも考えられるが、一般家庭のコンセント容量は１５Ａが上限であり、ここから供給される電力では十分な沸かし上げ能力を得ることはできず、水道水の温度が０℃近くまで低下する厳冬期のことを考えると、洗浄に要する洗浄水の流量を毎分約０．５Ｌ程度まで減少させる必要性がある。この毎分０．５Ｌの洗浄水流量とは、先述の一般的な貯湯式衛生洗浄装置と比較すると半分以下の水量であり、洗浄力、洗浄時の体感強さが不十分なものとなってしまう。
【０００５】
さらに、この水量低下の課題を解決するために、電磁ポンプや間欠遮断弁等を用いることで、水道からの給水圧に脈動を加える方式も提案されている（例えば特開２００１―９０１５１号公報）。これによると、吐出される洗浄水の流量が周期的に増減を繰り返し、瞬間的な吐出流量が増すため、洗浄力および洗浄の体感が向上し、洗浄水量そのものを低減することが可能となる。しかしながら、水道から供給圧を利用して、この圧力を中心とする圧力変動をさせる構成となっているため、給水圧の影響を受けやすく、特に低水圧の地域（例えば沖縄地方など）ではその能力が不十分になってしまう。また、対策は施してあるものの、給水圧が作用した状態で水の流れを断続的にするため水路系に水撃が発生してしまうことは否めず、配管や管路に接続される機能部品の損傷や劣化を招来したり、振動や異音の発生につながるといった課題があった。また、先述の電磁ポンプや間欠電磁弁を用いた構成では、噴流の圧力変動幅（振幅）が大きくなりすぎ、結果として使用者が洗浄時に痛みを感じるといった課題があった。
【０００６】
したがって、この発明の目的は、間欠的な吐水を行う衛生洗浄装置において、吐出流量が給水圧に左右されず、より確実に水撃、振動の発生を防止でき、かつ洗浄水量を低減することである。
【０００７】
【課題を解決するための手段】
請求項１記載の衛生洗浄装置は、給水手段と、この給水手段から給水される給水圧より高い圧力を最小値とする周期的な変動圧力吐出を行う加圧手段と、この加圧手段により加圧されて供給された給水を洗浄水として吐出する吐出手段とを備えたものである。
【０００８】
請求項１記載の衛生洗浄装置によれば、給水手段から給水される給水圧より高い圧力を最小値とする周期的な変動圧力吐出を行うため、吐出手段からの噴流は連続流でありながら圧力が変動するので、吐出される洗浄水の過度の断続感を防止することができ、快適な刺激の得られる洗浄が実現できる。したがって、断続感による痛みや不快感を緩和し、かつ洗浄水水量も連続流と比較して低減することができる。
請求項２記載の衛生洗浄装置は、給水手段と、複数の圧力吐出の合成によりこの給水手段から給水される給水圧より高い圧力を最小値とする周期的な変動圧力吐出を行う加圧手段と、この加圧手段により加圧されて供給された給水を洗浄水として吐出する吐出手段とを備えたものである。
請求項２記載の衛生洗浄装置によれば、加圧手段が複数の圧力吐出の合成によって、給水手段から給水される給水圧より高い圧力を最小値とする周期的な変動圧力吐出を行うので、吐出される洗浄水の過度の断続感を防止することができ、快適な刺激の得られる洗浄が実現できる。したがって、断続感による痛みや不快感を緩和し、かつ洗浄水水量も連続流と比較して低減することができる。
【０００９】
請求項３記載の衛生洗浄装置は、請求項１または請求項２において、加圧手段が、ポンプ室を複数有する往復動ポンプであって、それぞれのポンプ室のピストン動作の位相をずらしたものである。
【００１０】
請求項３記載の衛生洗浄装置によれば、請求項１または請求項２と同様な効果のほか、ポンプ稼働時の振動による騒音を低減でき、部品耐久性を向上でき、さらに振動による洗浄面における洗浄水のぶれを低減し、洗浄位置を確実なものとすることができる。
【００１１】
請求項４記載の衛生洗浄装置は、請求項３において、往復動ポンプを、ピストンの両側にポンプ室を有する複動型としたものである。
【００１２】
請求項４記載の衛生洗浄装置によれば、請求項３と同様な効果のほか、構成が簡単になり、小型化が図れるとともに組み立ても容易になる。
【００１３】
請求項５記載の衛生洗浄装置は、請求項１から請求項４のいずれかにおいて、給水手段が、圧力調整部を有するものである。
【００１４】
請求項５記載の衛生洗浄装置によれば、請求項１から請求項４のいずれかと同様な効果のほか、水道圧の特に高圧側の圧力変動に左右されず、正確な圧力変動を洗浄水の吐出に与えることができる。
【００１５】
請求項６記載の衛生洗浄装置は、請求項１、請求項２、請求項３、請求項４または請求項５において、加圧手段の圧力変動周期を、人体が認知可能な圧力変動周期とするものである。
【００１６】
請求項６記載の衛生洗浄装置によれば、請求項１、請求項２、請求項３、請求項４または請求項５と同様な効果のほか、例えば圧力変動周期を５０Ｈｚ〜１Ｈｚ好ましくは５０Ｈｚ〜１０Ｈｚとすると、人がはっきりと認知できる快適な刺激感を与えることができる。圧力変動周期がこれより高くなると、刺激感がなくなり連続した流れで洗浄水を受けていると感じやすくなる。とくに５０Ｈｚ〜１０Ｈｚが最も快適な刺激感を感じる。
【００１７】
請求項７記載の衛生洗浄装置は、請求項１、請求項２、請求項３、請求項４、請求項５または請求項６において、洗浄水の加熱手段を給水手段と加圧手段の間に設けたものである。
【００１８】
請求項７記載の衛生洗浄装置によれば、請求項１、請求項２、請求項３、請求項４、請求項５または請求項６と同様な効果のほか、摺動部を有するポンプは通常異種材料の組み合わせで構成されるため、一定の温度の洗浄水が通過することによりポンプ構造の膨張度合いが一定となり、確実に洗浄水の加圧変動周期を実現することができる。また高い圧力が加熱手段に作用しないので洗浄水の乱れによる温度を不安定化することを防止するための構成や、加熱手段の変形、収縮・膨張による疲労を回避するための構成、ならびに必要以上に高い耐圧性能にするための構成を配慮する必要がない。さらに、加熱手段が脈動減衰の原因とならないので管路を大径にすることが可能である。
【００１９】
請求項８記載の衛生洗浄装置は、請求項１から請求項７のいずれかにおいて、洗浄水の温度を検知する温度検知手段を備え、温度検知手段が所定の温度を検知した後、加圧手段は稼働するものである。
【００２０】
請求項８記載の衛生洗浄装置によれば、請求項１から請求項７のいずれかと同様な効果のほか、グリスをはじめシール部材が軟化してから稼働するので、ポンプ起動時の負荷が軽くなり、モータを小さくできることによりコンパクト化がはかれ、電力消費も低減できる。
【００２１】
請求項９記載の衛生洗浄装置は、請求項５、請求項６、請求項７または請求項８において、圧力調整部が、加圧手段の稼働時、給水手段と加圧手段の間の圧力を0 以下としたものである。
【００２２】
請求項９記載の衛生洗浄装置によれば、請求項５、請求項６、請求項７または請求項８と同様な効果のほか、特に高圧側の水道圧の影響を受けることなく、加圧手段の制御のみで流量制御が可能となり、最適な洗浄水の制御が可能となる。
【００２３】
【発明の実施の形態】
この発明の第１の実施の形態を図１から図５により説明する。図１は、衛生洗浄装置の全体図を示している。この衛生洗浄装置は、給水手段１と、加熱手段２と、加圧手段３と、吐出手段４と、制御部５を有する。
【００２４】
給水手段１は、水道管に接続される給水管６と、下流への水の流れおよび圧力を遮断できる止水電磁弁７、給水圧が所定値以上になるとそこを流れる水の流量を一定に保つ定流量弁８、さらに加熱手段２へとつながる主水路系と分岐し、その開放端を便器内に臨ませて設けた逃がし水回路９で構成してある。なお、定流量弁８と逃がし水回路９によって圧力調整部が構成される。また、加圧手段３の下流側には所定以上の圧力が作用することで開成状態となるリリーフ弁１０を備えてある。これは加圧手段３が高圧吐出する構成であるため、万が一その下流側が閉塞状態のままで加圧手段３が動作した場合に、接続ホース外れや管路の破損を防止するための安全対策である。なお、ここでは圧力調節部を定流量弁８と逃がし水回路９によって構成したが、一般的な定圧弁を用いることも可能である。
【００２５】
加圧手段３は、給水手段１から給水される給水圧より高い圧力を最小値とする周期的な圧力変動を行うものである。加圧手段３の圧力変動周期は、人体が認知可能な圧力変動周期、例えば５０Ｈｚ〜１Ｈｚ、好ましくは５０Ｈｚ〜１０Ｈｚとする。すなわち、この圧力変動周期は、本来であれば、振動を人体が感じる感じない、ということであるから、振幅、加速度などの多くのパラメータで決定されるものであるが、「振動の人体に対する影響に関係のある範囲は通常１０００Ｈｚ以下に限られる。振動の重要な影響の大部分は０．５から５０Ｈｚの範囲内である。この範囲内では人体は多数のパラメータを有する複雑な質量系および弾性系、減衰系として応答する。５０Ｈｚ以上では人体の表面に振動を加えた場合、人体を粘弾性体として考える方が適当である」（人間−環境系、人間機能データブック）に述べられているとおり、少なくとも５０Ｈｚを超える振動を人体皮膚に与えても皮膚表面において減衰してしまい、人は振動を振動として感じない。これは洗浄噴流の間欠刺激についても一種の振動と考えることができるため、同様のことが言える。また「１Ｈｚ以下の振動は動揺病に関連する特殊なもの」（人間工学基準、数値数式便覧）との記述があるように、１Ｈｚ以下は人間に対して決して快適な振動数とは言えない。これらのことから、人体が認知可能な圧力変動周期は５０〜１Ｈｚであるといえる。また確認実験の結果、５０〜１０Ｈｚが最も快適な刺激感を感じることが確認された。
【００２６】
加圧手段３の構成は後述の図２に示す。なお、加圧手段３の設置に際して防振ゴムを介在するとその制振作用により加圧手段３の振動や異音を抑制することができる。また加圧手段３の吐出配管の硬度を上流側給水管路よりも高くし、加圧手段３による配管の伸縮による脈動減衰を低減することができる。また、特に吐出配管を固定するかもしくは共振点に動吸振器の構成を設けることで騒音の防止ができる。
【００２７】
加熱手段２は、給水手段１と加圧手段３の間に設けている。この加熱手段２は貯湯タンクのない瞬間式であり、リリーフ弁１０の上流側にヒータを内蔵した熱交換器が接続されて構成されている。なお、ここではヒータは昇温速度に優れるセラミックヒータを用いてある。
【００２８】
吐出手段４は、加圧手段３により加圧されて供給された洗浄水として吐出する。実施の形態では、加圧手段３の下流側に接続された例えば４方弁の形態をなす水路切り替え弁１１と、水路切り替え弁１１にそれぞれ接続されて相互に切り替えられるおしり洗浄ノズル１２、ビデ洗浄ノズル１３、およびノズル１２、１３の洗浄用のクリーニングノズル１４を有する。
【００２９】
温度検知手段８６は、洗浄水の温度を検知するものであり、温度検知手段８６が所定の温度を検知した後、加圧手段３は駆動されるように制御部５により制御される。実施の形態では加熱手段２の下流側に湯温サーミスタを用いている。
【００３０】
制御部５は電磁弁７、加熱手段２、温度検知手段８６、加圧手段３および水路切り替え弁１１を制御する。
【００３１】
上記の構成から、まず水路切替弁１１の上流側に大きな圧力が作用しないように、制御部５により水路切替弁１１のクリーニングノズル１４に連通する水路を開成して電磁弁７を開く。なお、この動作は水路切替弁１１がクリーニングノズル１４に連通する位置で待機している場合には不要であり、また、この状態で待機するように機器を構成すれば、万が一水路切替弁１１が動作不良を起こした場合でも、過度の圧力が水路系に作用することを防止でき、リリーフ弁１０の作用と相まって機器の信頼性をさらに向上できるといった効果も得られる。電磁弁７が開成されると水道水が給水管６より供給されるが、逃がし水路９からはここの通水抵抗に応じて洗浄水が便器（図示せず）へと放出される。このとき、定流量弁８の作用で給水管６を流れる流量は所定の値に調節される。なお、定流量弁８は洗浄に使用する水量に多少の余裕をみた水量に調節可能なものが適切であるが、ここでは洗浄に使用する水量は毎分約４５０ｃｃであるとすると、例えば給水圧が５０ｋＰａ以上でほぼ毎分５００ｃｃの一定流量に調節可能なものを用いている。こうすることで、給水圧が最も低いとされる地域（例えば沖縄地区）から加圧のためのブースターが設置されているような給水圧の高い家庭でも性能にばらつきがでることを防止できる。なおまた、定流量弁８が先述の性能を有する場合、加熱手段２へとつながる主水路系に供給される給水圧は逃がし水路９に定流量弁８で調整された毎分５００ｃｃの流量が流れた際の圧力損失を最大値とし、それ以下の値となる。ここでは約１０ｋＰａが主水路系に作用するよう逃がし水路系９の通水抵抗を決定してある。
【００３２】
次に制御部５は加熱手段２に通電を開始し、温度検知手段８６によって検知される温水の温度信号を取り込みながら、その通電量を加減し、加熱手段２から供給される温水温度を人体洗浄に適した温度に調節する。なおここで用いた熱交換器は、流れ込んできた常温の水が熟交換器から流れ出るまでの間に適温加熱可能な、いわゆる瞬間型の熟交換器の構成としてある。そのため、沸かし上げの時間短縮や、冬季の沸かし上げ能力不足のことを考えると、ヒータはできるだけ大きな容量のものが望まれるが、一般家庭のコンセント容量の制限からここでは1200Wの入力が可能なものを選択してある。この瞬間型の熱交換器を用いれば、非使用時に温水を保温しておく必要性がないため、消費電力の大幅な削減が期待できるが、先述のとおり一般家庭のコンセント容量は15Aであるため、特に厳冬期、沸かし上げできる水量が不足気味になることは否めない。
【００３３】
なお、消費電力を抑える必要性がなければ、熟交換器を適切な大きさの温水タンクの構成とし、常時、適温で保温し、必要に応じて使用することも可能である。また、近年、家庭内には200V用の機器も導入され始めており、本発明の分野にも200Vが導入されれば、さらに大きな容量のヒータを備え、沸かし上げ時間の短縮や沸かし上げ能力の向上を図ることも容易に考えられる。
【００３４】
洗浄水は定流量弁８等を経由して加熱手段２に流入し、加熱手段２内部において流動しながら吸熱して昇温し、加熱手段２の出口側で温度検知された後加圧手段３へと供給される。加圧手段３は加熱手段２で加熱された洗浄水温度が所定の温度になると稼働され、給水手段１からの給水圧を昇圧するとともに周期的に圧力変動を付加する。ここで連通が確保されているクリーニングノズル１４からおしり洗浄ノズル１２およびビデ洗浄ノズルに向けて噴出され、これらが洗浄される。このノズル洗浄の動作の後、水路切替弁１１によって切替指定されたおしり洗浄ノズル１２またはビデ洗浄ノズル１３から洗浄水が噴出し、人体の被洗浄部が洗浄される。なお加圧手段３が稼働していないとき、この上流側には給水手段１から約１０ｋＰａの給水圧が作用して洗浄水が管路中を流れるが、加圧手段３が稼働すると、加圧手段３は給水圧を加圧吐出するために吸引の動作を併せて行うため、この給水手段１から加圧手段３に至る管路中の圧力は０以下つまり負圧の状態となる。この構成とすることで、加圧手段３を制御するだけで吐出流量をコントロールでき、流量調節を容易にすることができる。
【００３５】
図２は、加圧手段の構成を示している。この加圧手段３は、複数のポンプ室１５、１６を有してピストン運動を行う往復動ポンプであって、それぞれのポンプ室１５、１６のピストン動作の位相をずらした構成である。ポンプ室１５、１６に設けた各ピストン１７、１８の外端部を相対向するようにポンプ室１５、１６を並べ、ポンプ室１５、１６間に回転運動を往復運動に変換する変換機構２０が配置されている。この変換機構２０はクランク軸２１を有する減速ギア２２、クランク軸２１に一端が連結され他端がピストン１７、１８に接続された一対のクランクロッド２３、２４、減速ギア２２を回転駆動するモータ２５からなる。モータ２５が回転し減速ギア２２のクランク軸２１が回動すると、クランクロッド２３、２４の動作によりピストン１７、１８が往復動作する。この場合、クランク軸２１を共用しているため、一方のピストンがポンプ室を膨張動作するとき、他方のピストンがポンプ室を圧縮動作するようにピストン動作の位相が略１８０度ずれている。
【００３６】
一方、ポンプ室１５、１６はそれぞれ例えばアンブレラ弁を用いた逆止弁２７、２８を介して入水接続口３２に接続されるとともに、逆止弁２９、２８を介して吐出接続口３３に接続される。したがって、それぞれのポンプ室１５、１６の圧縮動作で吐出接続口３３から加圧水が圧送され、膨張動作で入水接続口３２から温水を吸入する。こうして、吐出接続口３３からピストン動作により周期的に洗浄水が吐出される。
【００３７】
なお、３５、３６は弾性シール部材である。
【００３８】
図３は各ポンプ室１５、１６の吐出圧力を示している。Ｑ１がポンプ室１５の吐出圧力の変動であり、Ｑ２がポンプ室１６の吐出圧力の変動である。それぞれの最大圧力Ｐ１は水道圧の給水圧Ｐ２より大きくし、相互に１８０度位相がずれている。その結果、その合成圧力変動は図４に示すようになる。
【００３９】
図４は、吐出口３３から流出する洗浄水の吐出変動圧力を示し、両吐出圧力を合成したものである。これは最大圧力Ｐ１であり、最小圧力Ｐ３（＝Ｐ１／２）であり、いずれも給水圧よりも高くなるようにしている。また吐出圧変動中心Ｐ０＝（Ｐ１−Ｐ３）／２は給水圧Ｐ２よりも高い。したがって、洗浄ノズルから噴出する洗浄水は断続的な吐出ではなく、連続的でかつ周期的な圧力変動を伴ったものとなる。
【００４０】
したがって、吐出される洗浄水の断続感を低減することができ、快適な刺激の得られる洗浄が実現できる。また、従来例と比較して、加圧手段３の上流側の圧力が低く、また吸引動作の際にも流れの遮断がないため、より確実に水撃や振動等を緩和し、機器の特に樹脂部品の信頼性を向上できるとともに、断続感による痛みや不快感を緩和し、かつ洗浄水水量も連続流と比較して低減することができる。
【００４１】
この発明の第２の実施の形態を図５に示す。これは、第１の実施の形態の加圧手段の別の形態である。すなわち、往復動ポンプを、ピストンの両側にポンプ室を有する複動型としている。実施の形態において、ピストン55にはピストンロッド36が固設されており、第１の実施の形態で示したモータ２５と減速ギア２２とクランクロッド２３等からなる駆動手段によって往復動させられる構成となっている。このピストン55にはリング状溝56が設けてあり、ここにはニトリルゴムを材料とするXリング59と呼ばれる特殊パッキンを装着してある。このXリング59は、Ｏリング、Ｖパッキンと同様のリング状シール部材で、そのカット断面が図５に示すとおり、略X字形状となっている。
【００４２】
また、シリンダ部４０には吸引口６０、吐出口６１、吸引口６２、吐出口６３が図５に示すような位置関係で設けてあり、このそれぞれには逆止弁２７〜３０が各々図に示す方向に一体に備えてある。そして、吸引口６０、６２は逆止弁２７、２９を介して入水口３２と連通し、吐出口６１、６３は吐出接続口３３と連通し、入水接続口３２が加熱手段に接続され、吐出接続口３３が水路切り替え弁１１に接続される。さらには、ピストンロッド36とシリンダ部４０はＶパッキン６７によって密封されている。そのため、図中ピストン55の左右両側に第1のポンプ室であるポンプ室６５と第2 のポンプ室であるポンプ室６６が構成されていることになる。
【００４３】
次に動作、作用を説明する。まず、ピストン55が図中下向きに移動する際、ポンプ室６５の容積はその移動につれて増加するため、加熱手段２から供給される洗浄水が吸引口６０から吸引される。このとき、吸引口６０に設けた逆止弁２９は開成状態であるが、吐出口６１に設けた逆止弁３０は閉止状態となる。
【００４４】
同時にポンプ室６６の容積はピストン55の移動につれて減少するため、ポンプ室６６を満たしている洗浄水は吐出口６３から吐出される。このとき、吸引口６２に設けた逆止弁２７は閉止状態で、吐出口６３に設けた逆止弁２８は開成状態となっている。
【００４５】
逆にピストン55が図中上向きに移動する際には、各々のポンプ室６５、６６の動作が逆転し、ポンプ室６５から洗浄水が吐出口６１を介して吐出され、逆にポンプ室６６は吸引口６２を介して洗浄水を吸引する。
【００４６】
なお、このときＸリング59はポンプ室６５とポンプ室６６を圧力的に分断し、先述のＶパッキン同様リップ部が少ない接触面積で的確にシールラインを形成する。そのため、信頼性の向上はもちろん、小さな力でピストン55を往復動させことができ、機器の小型化、低コスト化が図れる。また、Ｘリング59は往時、復時それぞれにおいて圧力が高まるとさらに密着性を増す構造であるので、Ｖパッキンを2個使うといったことも不要で、装置の低コスト化が図れる。さらにＸリング断面の凹部がグリス溜まりの役目を果たすため、長時間稼働してもグリスの流出が防止でき機器の耐久性も向上する。
【００４７】
また、ピストンロッド36とシリンダ部29を密封するＶパッキン６７も上記Xリング59と同様に少ない接触面積で確実に密封状態を作り出すことができ、外部漏れのない信頼性の高い装置が実現できる。また駆動力の低減が図れることは言うまでもない。
【００４８】
また、このような構成にすることで、ピストン55の往時、復時で駆動力のバランスが保たれるため、加圧手段２に生じる振動を極端に抑えることが可能になり、静音化が図れるという効果も得られる。さらには、ポンプ室が一つの場合と比較して、ピストン55が一回往復する際に吐出できる洗浄水の流量が約2倍となるため、モータ２５の回転数を半減することが可能で、静粛性の確保はもちろん、加圧手段２の耐久性の向上にも寄与する。つまり１個のポンプ室にかかる負荷が半減できるのである。
【００４９】
さらには断続的に吐出される洗浄水の断続周期があまりにも遅いと、使用者は不快感を感じる場合があるが、このように複数のポンプ室を設け、さらに複数あるポンプ室の吸引・吐出動作の位相を異ならせることで、その断続感が緩和され、快適な人体洗浄が実現できる。
【００５０】
この発明の第３の実施の形態を図６から図９に示す。すなわち、図６において、第１の実施の形態と異なる点は、加圧手段３を互いに直列に接続した第１の加圧手段３ａと第２の加圧手段３ｂで構成したことである。
【００５１】
図７は第１の加圧手段３ａの一例であるギアポンプを示す。８０はハウジング、８１は第１のギア、８２は第１のギア８１と噛み合う第２のギア、８３は第１のギア８１を駆動するモータである。モータ８３が回転すると第１のギア８１が矢印の方向に回転し、それに伴って第２のギア８２が反対向きに従動回転する。このためハウジング８０の、加熱手段２に接続された吸入口８４から吸引して吐出口８５より第２の加圧手段３ｂに一定圧力で圧送する。
【００５２】
なお、第１の加圧手段３ａは遠心ポンプ、軸流ポンプ、渦流ポンプ等、連続的に一定圧を加圧するポンプ等であればよい。
【００５３】
図８は第２の加圧手段３ｂの一例である単動レシプロポンプを示す。このポンプは図２の片側のポンプ室１６と変換機構２０で構成したものであり、同一個所に同一符号を付している。したがって、モータ２５が回転すると変換機構２０を介してピストン１８が往復動作し、ポンプ室１６が膨張・収縮し、膨張時に吸入接続口３２から逆止弁２７を介してポンプ室１６内に洗浄水が流入し、収縮時に逆止弁２９を介して吐出接続口３３から断続的に吐出される。
【００５４】
図９（ａ）は第１の加圧手段３ａの吐出圧Ｐ１を示し、給水圧よりも高い一定圧となっている。図９（ｂ）は第２の加圧手段３ｂの吐出圧を示し、ピストン１８の往復動作に伴って吐出圧が断続的に変動している。図では給水圧を中心とした振動を示している。図９（ｃ）は両吐出圧の合成であり、第１の加圧手段３ａの吐出圧Ｐ１を中心とする脈動を示している。
【００５５】
なお、第２の加圧手段３ｂは一般に往復動ポンプと呼ばれる例えばダイヤフラムポンプや電磁ポンプでも可能である。
【００５６】
なお、図１０に示すように、上記の第１の実施の形態および第３の実施の形態において、定流量弁８と逃がし水回路９によって構成される圧力調整部は、加圧手段３の稼働時、給水手段１と加圧手段３の間の圧力を0以下としている。
【００５７】
図１０（ａ）は圧力調整部により調整された供給圧を示している。これは加圧手段３の非起動時には圧力調整部は洗浄水の供給圧力をＰｓに調整するため（電磁弁開成時）、これにより水路にはいくらかの洗浄水が流れる状況となり、この水圧が加圧手段３にかかる。
【００５８】
図１０（ｄ）はポンプ動作の時間的範囲を示している。図１０（ｂ）はそのポンプ動作時の上流側のポンプ吸引圧Ｐｐを示している。ここで、Ｐｓ≦｜Ｐｐ｜としている。図１０（ｃ）はその結果としての給水手段１と加圧手段３の間の圧力を示している。すなわちポンプ動作中は給水手段１と加圧手段３の間の圧力が０以下となっている。したがって、ポンプ動作中は常に上流側が０または負圧となるので水道圧の変動があっても加圧手段の吐出側には影響を受けないこととなる。
【００５９】
【発明の効果】
本願発明の衛生洗浄装置によれば、吐出手段からの噴流は連続流でありながら圧力が変動するので、吐出される洗浄水の過度の断続感を防止することができ、快適な刺激の得られる洗浄が実現できる。したがって、断続感による痛みや不快感を緩和し、かつ洗浄水水量も連続流と比較して低減することができる。
【図面の簡単な説明】
【図１】  この発明の第１の実施の形態の全体の構成図である。
【図２】  その加圧手段の断面図である。
【図３】  加圧手段の各ポンプ室の吐出圧力の変動波形図である。
【図４】  加圧手段による吐出圧力の変動波形図である。
【図５】  第２の実施の形態の加圧手段の断面図である。
【図６】  第３の実施の形態の全体の構成図である。
【図７】  その第１の加圧手段の断面図である。
【図８】  第２の加圧手段の断面図である。
【図９】  各加圧手段の吐出圧および合成吐出圧のグラフである。
【図１０】  加圧手段の動作中上流側が負圧になるときの説明図である。
【図１１】  従来例の構成図である。
【図１２】  別の従来例の圧送手段の断面図である。
【符号の説明】
１    給水手段
２    加熱手段
３    加圧手段
４    吐出手段
５    制御部
８    定流量弁
９ 逃がし水回路
１５    ポンプ室
１６    ポンプ室
６５    ポンプ室
６６    ポンプ室
【図１】
0004183944.tif 000002
【図２】
0004183944.tif 000003
【図３】
0004183944.tif 000004
【図４】
0004183944.tif 000005
【図５】
0004183944.tif 000006
【図６】
0004183944.tif 000007
【図７】
0004183944.tif 000008
【図８】
0004183944.tif 000009
【図９】
0004183944.tif 000010
【図１０】
0004183944.tif 000011
【図１１】
0004183944.tif 000012
【図１２】
0004183944.tif 000013